(57)【要約】【課題】ＬｏｇＭＡＰターボ復号動作においてブランチ・メトリックを生成するための方法および装置を提供する。【解決手段】トレリスの順方向再帰中に、１次ブランチ・メトリックのセットを生成する。１次ブランチ・メトリックを比較的小さいメモリ・キャッシュ・モジュール（３７０）に受信機形式で記憶し、１次ブランチ・メトリックをネゲートすることによって対応する２次ブランチ・メトリックを生成する。１次ブランチ・メトリックおよび前記２次ブランチ・メトリックは、トレリス中の所与の状態に関するすべての可能なブランチ・メトリックを構成する。トレリスの逆方向再帰中に、記憶済みの１次ブランチ・メトリックをメモリ・キャッシュ・モジュール（３７０）から取り出し、取り出した１次ブランチ・メトリックをネゲートすることによって２次ブランチ・メトリックを再生成する。【選択図】図３
2004538706.tif 000002
【特許請求の範囲】
【請求項１】
少なくとも順方向の再帰中に、外来とパリティと情報のデータの１次的な組合せについて少なくとも２つのブランチ・メトリックを生成することを含む復号方法であって、前記少なくとも２つのブランチ・メトリックのうちの１つが、前記少なくとも２つのブランチ・メトリックのうちの別のブランチ・メトリックとは逆の極性を有する方法。
【請求項２】
少なくとも逆方向の再帰中に、前記生成した少なくとも２つのブランチ・メトリックから２次ブランチ・メトリックを生成することをさらに含む、請求項１に記載の方法。
【請求項３】
前記１次的な組合せについて生成したブランチ・メトリックを記憶して、それに対応する前記２次ブランチ・メトリックを生成することをさらに含む、請求項２に記載の方法。
【請求項４】
前記２次ブランチ・メトリックが、前記１次的な組合せについて生成した対応する記憶済みブランチ・メトリックのネゲートである、請求項３に記載の方法。
【請求項５】
前記２次ブランチ・メトリックを生成する工程が、
少なくとも逆方向の再帰中に、前記１次的な組合せについて生成した記憶済みブランチ・メトリックを取り出すことを含む、請求項４に記載の方法。
【請求項６】
２次ブランチ・メトリックを生成する工程が、
前記１次的な組合せについて生成した、取り出したブランチ・メトリックをネゲートすることを含む、請求項５に記載の方法。
【請求項７】
前記順方向の再帰および前記逆方向の再帰がトレリス・アルゴリズムの一部である、請求項６に記載の方法。
【請求項８】
ブランチ・メトリックを生成する方法であって、
少なくとも１つの１次ブランチ・メトリックを生成すること、
前記１次ブランチ・メトリックをネゲートすることによって少なくとも１つの２次ブランチ・メトリックを生成することを含む方法。
【請求項９】
前記１次ブランチ・メトリックが、データ、パリティ情報、外来情報から生成される、請求項８に記載の方法。
【請求項１０】
前記ブランチ・メトリックがＬｏｇＭＡＰ復号および／またはターボ復号の動作で利用される、請求項９に記載の方法。
【請求項１１】
少なくとも１つの１次ブランチ・メトリックを生成するための第１の処理ユニットと、
前記１次ブランチ・メトリックをネゲートすることによって少なくとも１つの２次ブランチ・メトリックを生成するための第２の処理ユニットとを備えるデコーダ。
【請求項１２】
データ、パリティ情報、外来情報を保持するための少なくとも１つの記憶域をさらに備え、
前記第１の処理ユニットが、トレリスの順方向の再帰で前記データ、前記パリティ情報、前記外来情報を前記少なくとも１つの記憶域から取り出して、前記少なくとも１つの１次ブランチ・メトリックを生成し、
さらに、前記順方向の再帰で前記少なくとも１つの１次ブランチ・メトリックを記憶するためのメモリ・キャッシュ・モジュールと、
前記少なくとも１つの１次ブランチ・メトリック、および前記第２の処理ユニットからの前記対応する２次ブランチ・メトリックを受け取って、前記トレリスを順方向の再帰で復号するためのトレリス計算機モジュールとを備える、請求項１１に記載のデコーダ。
【請求項１３】
前記トレリス計算モジュールが、前記少なくとも１つの１次ブランチ・メトリックを前記メモリ・キャッシュ・モジュールから取り出し、前記対応する２次ブランチ・メトリックを前記第２の処理ユニットから取り出して、前記トレリスを逆方向の再帰方向で復号する、請求項１２に記載のデコーダ。
【請求項１４】
移動電話ハンドセットと、
セルラー基地局と、
遠隔通信衛星と、
マイクロ波基地局とで構成されるグループから選択されたデバイス中に実装される、請求項１３に記載のデコーダ。
【請求項１５】
ＬｏｇＭＡＰデコーダおよび／またはターボ・デコーダ中に実装される、請求項１３に記載のデコーダ。
【発明の詳細な説明】
【技術分野】
【０００１】
本発明は一般に、通信システムにおける復号に関し、より詳細には、無線通信システムにおけるｌｏｇＭＡＰターボ復号でのブランチ・メトリック計算に関する。
【背景技術】
【０００２】
本出願は、２００１年８月３日に出願されたオーストラリア仮出願ＰＲ６７９３号の優先権を主張するものである。
ターボ復号は、対話式復号およびランダム・インタリービングを利用して、シャノン限界に近いエラー性能を達成する。したがってターボ復号は、第３世代（３Ｇ）無線通信システムの場合の復号でしばしば利用される。
【０００３】
トレリス図は、ある期間にわたる畳み込みエンコーダの、起こり得る状態変化を表す。トレリス中の各状態は、関連する２つのブランチ・メトリックを介して、トレリス中の次の時間枠にある２つの別々の状態に結び付けられる。受信したシンボルを復号するとき、復号アルゴリズムが一般にトレリスを順方向に横断して、個々の状態および関連するブランチ・メトリックの確率を決定する。
【０００４】
ｌｏｇＭＡＰアルゴリズムは、ビタビ・アルゴリズムなど他の復号アルゴリズムとは異なり、トレリス全体にわたって順方向と逆方向の両方の再帰を実施する。このアルゴリズムは、ウィンドウ化ＬｏｇＭＡＰ構成を提供するように区分化することができ、各ブロックは、より小さいアルファとベータの再帰に分割される。アルファ値は、トレリス中の各状態の確率を表し、順方向の再帰で決定される。ベータ値は、各状態の反対方向の確率を表し、逆方向の再帰中に決定される。
【０００５】
所与の状態に関連するブランチ・メトリックの対のそれぞれの確率が、ガンマ値（γ）である。ガンマ値は、トレリスの順方向と逆方向のそれぞれの再帰中に計算される。ｌｏｇＭＡＰブランチ・メトリックは、以下の式を使用して計算される。
【数１】
2004538706.tif 000003
【０００６】
上式で、ｉはパス（０または１）を表し、ｄおよびｃはそれぞれ、予想されるデータ・ビットおよびパリティ・ビットであり、ｙｓ、ｙｐ、Ｌｅはそれぞれ、データ、パリティ、外来情報に関するソフト情報を表し、ｋは、ブランチ・メトリックが計算されているトレリス中の現在状態を表す。
【０００７】
レート１／２の所与のトレリス符号では、予想される各データ・ビットｄおよびパリティ・ビットｃは、＋１または−１の値をとる場合がある。したがって、所与の入力変数に対して、可能なブランチ・メトリックの組合せは以下の４つがある。
（ｙｓ＋Ｌｅ＋ｙｐ）  ｄ＝＋１、ｃ＝＋１の場合
（ｙｓ＋Ｌｅ−ｙｐ）  ｄ＝＋１、ｃ＝−１の場合
（−ｙｓ−Ｌｅ−ｙｐ）  ｄ＝−１、ｃ＝−１の場合
（−ｙｓ−Ｌｅ＋ｙｐ）  ｄ＝−１、ｃ＝＋１の場合
【０００８】
順方向の再帰段階でトレリスを横断するときは、入力シンボルと外来メモリの両方にアクセスしてガンマ値を計算しなければならない。図１に、レート１／２のデコーダの場合にブランチ・メトリックを計算するための従来技術の構成１００を示す。データ（ｙｓ）１３０およびパリティ（ｙｐ）１４０を第１のメモリ１２０から読み出す。第１のメモリ１２０からの読出しアクセスに必要な時間および電力は、第１のメモリ１２０のサイズに比例する。第１のメモリ１２０は、復号されているブロックの長さ全体にわたるデータおよびパリティの情報を記憶できるよう十分に大きくなければならない。第１のメモリ１２０のサイズは通常、移動通信の適用例では約５ｋワードである。
【０００９】
データ１３０とパリティ１４０は、単一の第１のメモリ１２０ではなく２つの別々のメモリ・ユニットに記憶することも可能である。しかし、必要なデータ１３０とパリティ１４０を別々のメモリ・ユニットから読み出すには、情報を取り出すことに加えて２回のアドレス復号が必要になるので、このような実装形態に関連する明らかな利点はないと思われる。このような実装形態は、単一メモリ・ユニットの実装形態よりもそれほど速いわけではなく、より多くの電力を必要とする。
【００１０】
プロセッサ１５０が、データ１３０およびパリティ１４０を、第２のメモリ１１０から読み出された外来情報（Ｌｅ）１１５と共に受け取って、トレリス中のすべてのパスに対応する出力ブランチ・メトリック１５５を生成する。出力ブランチ・メトリック１５５はトレリス計算モジュール１６０に提示され、トレリス計算モジュール１６０は出力ブランチ・メトリック１５５を利用してトレリスを横断する。
【００１１】
ベータ値を計算するためにトレリスの逆方向再帰が開始したときは、ブランチ・メトリック計算のための４つの可能な組合せをそれぞれ再生成しなければならない。このためには、プロセッサ１５０中での計算コストに加えて、データおよびパリティの情報を記憶しているメモリ１２０への読出しアクセスと、外来情報を記憶している第２のメモリ１１０への１回の読出しアクセスとが必要である。前述のように、各メモリ・アクセスの時間および電力消費はメモリ・セルの数に直接に比例し、したがって、第１のメモリ１２０と第２のメモリ１１０のどちらかへの読出しアクセスはそれぞれ、電力消費の点でコストがかかる。このため、第１のメモリ１２０と第２のメモリ１１０のうちの一方または両方への読出しアクセスの数を削減することが有利であろう。
【００１２】
図２に、レート１／３のＬｏｇＭＡＰデコーダの場合にブランチ・メトリックを計算するための従来技術の構成２００を示す。ブランチ・メトリックの組合せは以下の式２によって得られる。この式で、ｙｐ１は第１のパリティ・ビットを表し、ｙｐ２は第２のパリティ・ビットを表し、ｃ１は予想される第１のパリティ・ビットを表し、ｃ２は予想される第２のパリティ・ビットを表す。
【数２】
2004538706.tif 000004
【００１３】
ｄ、ｃ１、ｃ２はそれぞれ＋１と−１のどちらかである可能性があるので、レート１／３デコーダの場合、可能なブランチ・メトリックの組合せは８つある。
【００１４】
第１のメモリ２２０が、データ（ｙｓ）２３０、第１のパリティ（ｙｐ１）２４０、第２のパリティ（ｙｐ２）２４５のそれぞれを記憶している。データ（ｙｓ）２３０、第１のパリティ（ｙｐ１）２４０、第２のパリティ（ｙｐ２）２４５はそれぞれ、第１のメモリ２２０から読み出され、プロセッサ２５０に提示される。プロセッサ２５０はまた、第２のメモリ２１０から読み出された外来情報（Ｌｅ）２１５も受け取る。プロセッサ２５０は、すべてのブランチ・メトリック２５５を計算し、これらのブランチ・メトリック２５５をトレリス計算モジュール２６０に提示する。
【００１５】
復号トレリスの逆方向再帰中にブランチ・メトリックを再利用することができるよう、復号トレリスの順方向再帰中に計算されたブランチ・メトリックはしばしばメモリ・ユニットに記憶される。順方向再帰中に計算されたブランチ・メトリックがすべて記憶されるので、利用されるメモリ・ユニットは大きいものである必要がある。前述のように、このようなメモリ・ユニットへの読出しアクセスは、電力消費および時間の点でコストがかかる。
【００１６】
ＵＭＴＳおよびＣＤＭＡ２０００システムでは、ベースバンド処理における計算の約４０％がターボ復号プロセスだけにある。単一のコンポーネントが、低電力ハンドセットまたは大インフラストラクチャ製品の電力消費を支配する可能性がある。電池寿命が最優先事項であるハンドセット市場では、あるいは熱散逸が重要である無線インフラストラクチャ製品のパッケージングでは、どんな量の節電もかなりの利点になる。
【特許文献１】
オーストラリア仮出願ＰＲ６７９３号
【発明の開示】
【発明が解決しようとする課題】
【００１７】
本発明は、少なくとも２つのブランチ・メトリックを生成する方法を提供する。この方法では、相互に逆の極性を有するブランチ・メトリックを生成する。
【課題を解決するための手段】
【００１８】
本発明の一実施形態では、少なくとも１つの１次ブランチ・メトリックと、少なくとも１つの２次ブランチ・メトリックを生成する。２次ブランチ・メトリックは、１次ブランチ・メトリックをネゲートすることによって生成する。
【００１９】
本発明の一例では、ある方法により、ＬｏｇＭＡＰターボ復号動作においてブランチ・メトリックを生成することが可能である。この方法は、トレリスの順方向再帰中に、外来とパリティと情報のデータの１次的な組合せのそれぞれについてブランチ・メトリックを生成すること、および、１次ブランチ・メトリックを記憶して、ネゲートによってブランチ・メトリックのうちの残りの２次ブランチ・メトリックを生成することを含む。また、トレリスの逆方向再帰中に、記憶済みの１次ブランチ・メトリックを取り出すこと、および、取り出した１次ブランチ・メトリックをネゲートすることによって２次ブランチ・メトリックを生成することを含む。
【００２０】
本発明の他の態様も開示する。
本発明は、添付の図面を参照しながら、非限定的な実施形態に関する後続の説明を読めば、よりよく理解されるであろう。
【００２１】
本出願の図面は、正確な縮尺で描いたものではなく、単なる概略図であり、したがって本発明の特定の寸法を表すものではないことを強調しておく。本発明の寸法は、当業者なら本明細書の開示を検討することによって決定することができるであろう。
【発明を実施するための最良の形態】
【００２２】
添付の図面のいずれか１つまたは複数において、同じ参照番号を有する工程および／または機構を参照する場合、本明細書ではこれらの工程および／または機構は、逆の意味が記されていない限り、同じ機能または動作を有する。
【００２３】
図３に、ブランチ・メトリック・キャッシュ３７０を利用するレート１／２のＬｏｇＭＡＰターボ復号の場合の構成３００を示す。符号化トレリスの順方向再帰中、データ（ｙｓ）３３０およびパリティ（ｙｐ）３４０にアクセスするために、第１のメモリ３２０からの読出しアクセスが必要である。データ（ｙｓ）３３０およびパリティ（ｙｐ）３４０はそれぞれ、通常は８ビットの情報で記述される。外来情報３１５が、第２のメモリ３１０から読み出される。メモリ３１０および３２０の容量は通常、移動実装形態の場合は５キロバイトである。取り出されたデータ３３０、パリティ３４０、外来情報３１５はそれぞれ、第１のプロセッサ３５０に提示される。第１のプロセッサ３５０は、取り出されたパリティ、外来、情報のデータから、データの適切な組合せの所定の半分を計算し、それにより１次ブランチ・メトリックのセット３５５を提供する。セット３５５は、キャッシュ・メモリ３７０に記憶され、また、トレリス計算モジュール３６０および第２のプロセッサ３９０のそれぞれにも提供される。第２のプロセッサ３９０は、１次ブランチ・メトリックのセット３５５をネゲートして、２次ブランチ・メトリックのセット３９５を生成する。これらの２次ブランチ・メトリックは、トレリス計算モジュール３６０に提供される。
【００２４】
トレリス構造は対称なので、レート１／２のトレリス・デコーダの場合、４つの可能なブランチ・メトリックの組合せのうちの２つを、他の２つの可能な組合せから生成することができる。したがって、（ｙｓ＋Ｌｅ＋ｙｐ）および（ｙｓ＋Ｌｅ−ｙｐ）をネゲートして、（−ｙｓ−Ｌｅ−ｙｐ）および（−ｙｓ−Ｌｅ＋ｙｐ）をそれぞれ生成することができる。計算されるブランチ・メトリックの組合せは、１次ブランチ・メトリックである。１次ブランチ・メトリックの組合せをネゲートすることによって得られる、対応するブランチ・メトリックの組合せは、２次ブランチ・メトリックの組合せである。１次ブランチ・メトリックのセットがキャッシュ・メモリ３７０に記憶されるので、トレリスの順方向再帰中は、２つのメモリ・ユニット３１０および３２０からのデータ、パリティ、対応する外来情報にアクセスするだけでよい。残りの２つのブランチ・メトリックは、計算された最初の２つのブランチ・メトリックをネゲートすることによって計算される。ネゲートは、処理時間と電力消費の両方からみて相対的に低費用であり、第２のプロセッサ３９０によって行われる。すべての可能なブランチ・メトリックの組合せが順方向再帰中にトレリス計算モジュール３６０に提示されて、アルファ値が決定される。
【００２５】
最初の２つのブランチ・メトリックをネゲートすることによって２つのブランチ・メトリックを生成することができるので、計算された最初の２つのブランチ・メトリックだけがブランチ・メトリック・キャッシュ３７０に記憶される。したがって、ブランチ・メトリック・キャッシュのサイズは、可能なブランチ・メトリックのセットの半分を記憶するのに十分な大きさであればよく、このため、このキャッシュは縮小セット・ブランチ・メトリック・キャッシュと呼ぶことができる。
【００２６】
必要なベータ値を計算するためにトレリスの逆方向再帰が開始したときは、トレリス・プロセッサ３６０は制御信号３６５を送って、縮小セット・ブランチ・メトリック・キャッシュ３７０から、順方向トレリス再帰中に記憶された１次ブランチ・メトリック３５５を取り出す。これにより、第１のメモリ３２０および第２のメモリ３１０のそれぞれへのメモリ・アクセスが不要になる。縮小セット・ブランチ・メトリック・キャッシュ３７０のサイズが比較的小さく、一般にほぼウィンドウ・サイズなので、必要な１次ブランチ・メトリックを縮小セット・ブランチ・メトリック・キャッシュ３７０から取り出すための読出しアクセスに要する時間および電力は、比較できる第１のメモリ３２０と第２のメモリ３１０のどちらかからの読出しアクセスよりもかなり少ない。さらに、１次ブランチ・メトリック３５５を縮小セット・ブランチ・メトリック・キャッシュ３７０から直接取り出すことにより、トレリスの逆方向再帰では、プロセッサ３５０が順方向トレリス横断中に行った計算を省略することができる。したがって、比較的小さい縮小セット・ブランチ・メトリック・キャッシュ３７０を利用することで、従来技術の構成に勝る望ましい時間および電力の節約が可能になる。取り出された１次ブランチ・メトリック３８０は、トレリス計算モジュール３６０および第２のプロセッサ３９０のそれぞれに提示される。取り出された１次ブランチ・メトリック３８０のネゲートが第２のプロセッサ３９０によって再度行われて、２次ブランチ・メトリック３８５が生成され、トレリス計算に必要なブランチ・メトリックのセットが完成する。
【００２７】
縮小セット・ブランチ・メトリック・キャッシュ３７０は、復号トレリスの順方向再帰中に生成される可能なブランチ・メトリックの組合せの半分を記憶するのに必要であるにすぎないので、小さい専用メモリ・ユニットを使用して実現することができる。任意のメモリ・ユニットへの読出しアクセスに関連する電力消費は、アクセスされているメモリ・ユニットのサイズに応じて決まる。縮小セット・ブランチ・メトリック・キャッシュ３７０は、復号トレリスの順方向再帰中に計算されるブランチ・メトリックの組合せすべてを記憶するのに必要なメモリ・ユニットよりはかなり小さいので、縮小セット・ブランチ・メトリック・キャッシュ３７０への読出しアクセスはより速く、その消費電力はより少ない。
【００２８】
図４に、レート１／３のデコーダの場合のｌｏｇＭＡＰ復号の構成４００を示す。符号化トレリスの順方向再帰中に、第１のメモリ４２０からの読出しアクセスにより、データ（ｙｓ）４３０、第１のパリティ（ｙｐ１）４４０、第２のパリティ（ｙｐ２）４４５が得られる。第２のメモリ４１０からの読出しアクセスにより、外来情報（Ｌｅ）４１５が得られる。データ（ｙｓ）４３０、第１のパリティ（ｙｐ１）４４０、第２のパリティ（ｙｐ２）４４５、外来情報（Ｌｅ）４１５はそれぞれ、第１のプロセッサ４５０に提示される。第１のプロセッサ４５０は、入力パラメータから４つの可能なブランチ・メトリック４５５を生成し、これらのブランチ・メトリック４５５を縮小セット・ブランチ・メトリック・キャッシュ４７０、第２のプロセッサ４９０、トレリス計算モジュール４６０のそれぞれに提示する。ブランチ・メトリック４５５はそれぞれ、縮小セット・ブランチ・メトリック・キャッシュ４７０に記憶される。次いで第２のプロセッサ４９０は、最初の４つのブランチ・メトリックの組合せ４５５をネゲートすることによって残りの４つの可能な組合せを生成し、２次ブランチ・メトリック・セット４９５を生成する。これらはトレリス計算モジュール４６０に提示される。
【００２９】
トレリスの逆方向再帰中、トレリス計算モジュール４６０は、ブランチ・メトリックを再計算する必要なしに、縮小セット・ブランチ・メトリック・キャッシュ４７０からブランチ・メトリック４５５を取り出す。これにより、かなりの電力および時間の節約を実現する。トレリス計算モジュールは、縮小セット・ブランチ・メトリック・キャッシュ４７０に制御信号４６５を送る。トレリスの順方向再帰中に記憶されたブランチ・メトリック４５５がアクセスを受け、これらは、取り出されたブランチ・メトリック４８０として、トレリス計算モジュール４６０および第２のプロセッサ４９０のそれぞれに提示される。第２のプロセッサ４９０は、取り出されたブランチ・メトリック４８０をネゲートして、２次ブランチ・メトリック４８５を生成する。これらがトレリス計算モジュール４６０に提示されて、トレリス計算に必要なブランチ・メトリックのセットが完成する。
【００３０】
レート１／３の復号適用例でのブランチ・メトリック・キャッシュは、レート１／２の復号適用例でのブランチ・メトリック・キャッシュよりも多くの情報を記憶する必要があり、したがってこれはより大きいサイズでなければならないが、これに対応して、レート１／３の復号適用例で利用されるメモリ・ユニットも、レート１／２の復号で利用されるメモリ・ユニットよりも大きくなければならない。したがって、比較的小さい専用ブランチ・メトリック・キャッシュを利用する原理は、復号レートの任意の組合せに拡大することができる。
【００３１】
本明細書に述べた方法および構成の原理は、遠隔通信システムにおけるトレリス復号に一般的に適用可能である。
この特定の発明を例示的な実施形態に関して述べたが、この記述は限定的な意味で解釈すべきものではない。本発明について述べてきたが、この記述を参照すれば、本明細書に添付する特許請求の範囲に述べる本発明の趣旨を逸脱することなく、本発明の例示的な実施形態の様々な修正ならびに追加の実施形態も当業者には明らかになることを理解されたい。したがって、この方法、システム、これらの一部、述べた方法およびシステムの一部は、無線ユニット、基地局、基地局コントローラ、移動切換えセンタ、および／またはレーダ・システムなど、種々の位置で実現することができる。さらに、述べたシステムを実現および使用するのに必要な処理回路は、特定用途向け集積回路、ソフトウェア駆動型の処理回路、ファームウェア、プログラム可能な論理デバイス、ハードウェア、離散コンポーネントにおいて、あるいは本開示により当業者に理解されるであろうこれらのコンポーネントの各種構成において実現することができる。これらおよび他の様々な修正、構成、および方法は、本明細書に図示および記述した例示的な適用例に厳密に従うことなく、また本発明の趣旨および範囲を逸脱することなく、本発明に加えることができることを、当業者なら容易に認識するであろう。したがって、添付の特許請求の範囲は、本発明の真の範囲に含まれるこのような修正または実施形態のいずれも包含するものとする。
【図面の簡単な説明】
【００３２】
【図１】レート１／２のデコーダの場合にブランチ・メトリックを計算するための既知の構成を表すブロック図である。
【図２】レート１／３のデコーダの場合にブランチ・メトリックを計算するための既知の構成を表すブロック図である。
【図３】ブランチ・メトリック・キャッシュを利用するレート１／２のｌｏｇＭＡＰターボ・デコーダの構成を表す概略ブロック図である。
【図４】ブランチ・メトリック・キャッシュを利用するレート１／５のｌｏｇＭＡＰターボ・デコーダの構成を表す概略ブロック図である。
【図１】
2004538706.tif 000005
【図２】
2004538706.tif 000006
【図３】
2004538706.tif 000007
【図４】
2004538706.tif 000008
【国際公開パンフレット】
2004538706.tif 000009
2004538706.tif 000010
2004538706.tif 000011
2004538706.tif 000012
2004538706.tif 000013
2004538706.tif 000014
2004538706.tif 000015
2004538706.tif 000016
2004538706.tif 000017
2004538706.tif 000018
2004538706.tif 000019
2004538706.tif 000020
2004538706.tif 000021
2004538706.tif 000022
2004538706.tif 000023
2004538706.tif 000024
2004538706.tif 000025
2004538706.tif 000026
2004538706.tif 000027
【国際調査報告】
2004538706.tif 000028
2004538706.tif 000029
2004538706.tif 000030